(57)【要約】【課題】前ゴーストが発生し得る環境下においても、円滑且つ効果的に受信処理を実行し得るＯＦＤＭ受信装置を提供すること。【解決手段】ＦＦＴ窓位置検出＆判定処理部４４は、等化部１８にて抽出されたパイロット信号ＳＰをＦＦＴ処理することにより、遅延プロファイルを求める。また、この遅延プロファイルをもとに、前ゴーストの有無を判定すると共に、現在のＦＦＴ窓位置と前ゴーストに適用されるべき窓位置との間の遅延時間ΔＴｎを算出する。さらに、この遅延時間ΔＴｎと前回算出した遅延時間ΔＴｎ−１の差分から、前ゴーストに窓位置を設定するための補正値を算出する。ＦＦＴ窓位置設定部４０は、この補正値をもとにＦＦＴ窓位置を変更する。さらに、位相周波数特性逆算部４２は、補正値に相当する位相回転量を、ＦＦＴ処理された複素ＯＦＤＭ信号に乗算する。【選択図】  図２
2004304618.tif 000002
【特許請求の範囲】
【請求項１】
ＯＦＤＭ方式による送信波を受信するＯＦＤＭ受信装置であって、
ＦＦＴ処理されたＯＦＤＭ信号に基づいて当該ＯＦＤＭ信号に前ゴーストが含まれているかを判定する前ゴースト判定手段と、
前ゴーストが含まれている場合に、ＦＦＴ処理の窓位置が当該前ゴーストに対応した窓位置となるよう、受信ＯＦＤＭ信号に対する窓位置を補正するＦＦＴ窓位置補正手段と、
ＦＦＴ処理後のＯＦＤＭ信号の特性が前記ＦＦＴ窓位置補正手段による窓位置補正前後において連続性を維持するように、前記ＦＦＴ処理されたＯＦＤＭ信号を補正するＯＦＤＭ信号補正手段と、
を備えることを特徴とするＯＦＤＭ受信装置。
【請求項２】
前記前ゴースト判定手段は、主波のレベルに応じたしきい値を設定し、主波に先行する副波のレベルが前記しきい値を超える場合に、当該副波を前ゴーストとして判定することを特徴とする請求項１に記載のＯＦＤＭ受信装置。
【請求項３】
前記ＦＦＴ窓位置補正手段は、ＦＦＴ処理後のサブキャリアの内、所定のサブキャリアに含まれたパイロット信号をＦＦＴ処理して遅延プロファイルを算出するＦＦＴ手段と、
算出した遅延プロファイルに基づいて現在の窓位置と前ゴーストに適用されるべき窓位置と間の遅延量に応じた補正値を算出する補正値算出手段と、
算出した補正値に応じて受信ＯＦＤＭ信号に対する窓位置を変更する窓位置変更手段と
を有することを特徴とする請求項１または２に記載のＯＦＤＭ受信装置。
【請求項４】
前記ＯＦＤＭ信号補正手段は、前記ＦＦＴ処理されたＯＦＤＭ信号の位相を、前記窓位置の補正量に応じて補正することを特徴とする請求項１ないし３の何れかに記載のＯＦＤＭ受信装置。
【請求項５】
前記ＯＦＤＭ信号補正手段は、前記ＦＦＴ処理されたＯＦＤＭ信号に、前記ＦＦＴ窓位置補正手段による窓位置の補正量に相当する位相回転量を乗算することにより、前記ＦＦＴ処理されたＯＦＤＭ信号の位相を補正することを特徴とする請求項４に記載のＯＦＤＭ受信装置。
【発明の詳細な説明】
【０００１】
【産業上の利用分野】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式による送信波を受信するＯＦＤＭ受信装置に関し、特に、ＯＦＤＭ方式によるデジタル放送を受信してＦＦＴ（高速フーリエ変換）処理を実行するデジタル放送受信装置に用いて好適なものである。
【０００２】
【従来の技術】
デジタル放送受信装置に採用されるＯＦＤＭ受信装置の構成例を図１に示す。
【０００３】
尚、このＯＦＤＭ受信装置によって受信される送信波は、国内の地上波デジタル放送の規格に準じたものである。
【０００４】
図１を参照して、ＯＦＤＭ受信装置１００は、Ａ／Ｄコンバータ２、Ｉ／Ｑ分離部４、狭帯域キャリア同期処理部６、シンボル同期処理部８、クロック同期処理部１０、ＦＦＴ処理部１２、広帯域キャリア同期処理部１４、フレームデコード処理部１６、等化部１８、周波数＆時間デインターリーブ処理部２０、デマッピング処理部２２、ビタビ復号処理部２４、ＲＳ復号処理部２６から構成されている。
【０００５】
このＯＦＤＭ受信装置１００では、アンテナ（図示せず）より受信されたＲＦ信号が、チューナ（図示せず）においてＲＦ周波数帯からＩＦ周波数帯へダウンコンバートされＩＦ周波数帯のアナログＯＦＤＭ信号が生成される。そして、このアナログＯＦＤＭ信号が、図中のＡ／Ｄコンバータ２においてデジタルＯＦＤＭ信号に変換される。
【０００６】
しかる後、デジタルＯＦＤＭ信号は、Ｉ／Ｑ分離部４で同相信号（Ｉ信号）と直交信号（Ｑ信号）に分離され、複素ＯＦＤＭ信号に変換される。かかる複素ＯＦＤＭ信号は、伝送シンボル期間を１単位として、伝送シンボル期間毎に順次区分される。一つの伝送シンボル期間は、ガードインターバル期間とそれに続く有効シンボル期間とから構成されている。このうち、有効シンボル期間には、伝送側で伝送データをＩＦＦＴ（逆フーリエ変換）処理して生成された１単位のＩＦＦＴ信号（有効シンボル）が割り当てられている。また、ガードインターバル期間には、当該有効シンボルの後端部分１／ｎがそのまま挿入されている。
【０００７】
かかる複素ＯＦＤＭ信号は、ＦＦＴ処理部１２によってＦＦＴ処理された後の各サブキャリアの周波数が所定周波数の整数倍となるように、狭帯域キャリア同期処理部６にて、周波数の歪みが修正される。ここで、複素ＯＦＤＭ信号上の周波数の歪みは、シンボル同期処理部８における相関の大きさに基づいて検出される。即ち、シンボル同期処理部８にて相関が最大となった位置（後述）における、同相信号（Ｉ信号）と直交信号（Ｑ信号）の相関値の差分により検出される。
【０００８】
このようにして周波数の歪みが修正された複素ＯＦＤＭ信号は、シンボル同期処理部８とＦＦＴ処理部１２にそれぞれ入力される。
【０００９】
シンボル同期処理８は、ガードインターバル期間が有効シンボル期間の一部の複写であることを利用して、狭帯域キャリア同期処理部６の出力信号とこの出力信号を有効シンボル期間遅延した信号との相関を求め、同相信号（Ｉ信号）の相関値と直交信号（Ｑ信号）の相関値とを加算した値が最大となる位置を、有効シンボル期間の開始タイミングとする。そして、当該開始タイミングにてシンボル同期パルスを発生し、これをクロック同期処理部１０とＦＦＴ処理部１２に出力する。
【００１０】
クロック同期処理部１０は、シンボル同期処理部８からの出力を受けて同期クロックを発生させ、各ブロックへクロックを供給する。
【００１１】
ＦＦＴ処理部１２は、シンボル同期処理部８から出力されるシンボル同期パルスをもとに、狭帯域キャリア同期処理部６により周波数の歪みが修正された複素ＯＦＤＭ信号に対してＦＦＴ（フーリエ変換）処理を実行することにより、送信側で各サブキャリア帯域上にＯＦＤＭ多重されたＮ系列（Ｎは多重チャネル数）の複素ＯＦＤＭ信号を復調する。
【００１２】
すなわち、ＦＦＴ処理部１２は、シンボル同期パルスをもとに、有効シンボル期間の先頭を開始位置とし且つ有効シンボル期間の時間幅を有する時間窓（ＦＦＴ窓）を設定し、このＦＦＴ窓に対応する期間分について複素ＯＦＤＭ信号をＦＦＴ処理して、Ｎ系列の複素ＯＦＤＭ信号を復調する。
【００１３】
広帯域キャリア同期処理部１４は、ＦＦＴ処理によって復調されたＮ系列の複素ＯＦＤＭ信号が、対応するサブキャリアの周波数帯域に正しく位置付けられるように、復調後のＮ系列の複素ＯＦＤＭ信号とサブキャリア帯域との間の周波数ずれを補正する。
【００１４】
具体的には、予め送信側で特定のサブキャリアに割り当てているパイロット信号ＰＣを復調後の複素ＯＦＤＭ信号の中から検出し、当該パイロット信号ＰＣを検出したサブキャリア帯域と、送信側で当該パイロット信号ＰＣが割り当てられたサブキャリア帯域との間のずれを検出することよって、復調後のＮ系列の複素ＯＦＤＭ信号とサブキャリア帯域との間の周波数ずれを求める。そして、このずれの分だけ複素ＯＦＤＭ信号の周波数帯域をシフトさせる。
【００１５】
フレームデコード処理部１６は、復調されたＮ系列の複素ＯＦＤＭ信号を所定のシンボル数分貯めることにより一つのブロック（フレーム）を構成し、このうち所定の系列（サブキャリア帯域）に割り当てられたＴＭＣＣ（伝送制御信号）を抽出する。
【００１６】
等化部１８は、伝送路において受けた信号の歪みを補正する。すなわち、ゴースト波の影響やＦＦＴ窓位置のずれ等によって複素ＯＦＤＭ信号を構成する同相信号（Ｉ信号）と直交信号（Ｑ信号）の間に生じている位相のずれを検出して、これを補正する。
【００１７】
ここで、Ｎ系列のキャリア帯域のうち、一定間隔のキャリア帯域（ｎ、２ｎ、３ｎ、・・・）には、予め送信側にてパイロット信号（ＳＰ：Ｓｃａｔｔｅｒｄ  Ｐｉｌｏｔ）が含められている。等化部１８は、これらパイロット信号ＳＰに発生している同相信号（Ｉ信号）と直交信号（Ｑ信号）の間の位相ずれに基づいて、当該フレームを構成する各キャリア帯域上の同相信号（Ｉ信号）と直交信号（Ｑ信号）の間の位相ずれを推定し、推定した位相ずれを解消するように同相信号（Ｉ信号）と直交信号（Ｑ信号）に等化処理を掛ける。
【００１８】
また、等化部１８は、パイロット信号の振幅レベルに基づいて、各キャリア帯域上の同相信号（Ｉ信号）と直交信号（Ｑ信号）の振幅レレベルの調整も行う。
【００１９】
周波数＆時間デインターリーブ処理部２０は、送信側で施された周波数方向のインターリーブ（データ系列間の並べ替え）と時間軸方向のインターリーブ（各データ系列内における時間軸方向のデータの並べ替え）を解除する。デマッピング処理部２２は、変調方式に応じて配置されたデータを復号する。ビタビ復号処理部２４は、送信側で畳み込み符号化されたデータを復号する。ＲＳ復号処理部２６は、送信側でリードソロモン符号化されたデータを復号し、ＭＰＥＧのトランスポートストリームパケット（ＴＳＰ）を生成する。
【００２０】
当該トランスポートストリームパケットがＭＰＥＧ復号器（図示せず）により復号され、表示装置（図示せず）上に表示される。
【００２１】
上記ＯＦＤＭ受信装置１００では、ＦＦＴ窓の時間位置が、その後の処理に大きな影響を与える。そこで、以下の特許文献では、ＦＦＴ処理した複素ＯＦＤＭ信号の周波数位相特性を監視し、この周波数位相特性の一次傾向からＦＦＴ窓の有効シンボル期間に対するずれ量を検出し、この検出結果に基づいて、ＦＦＴ窓の位置を正規の時間位置、すなわち、有効シンボル期間に対応する位置に補正するよう制御している。
【００２２】
【特許文献１】
特開２０００−２９５１９５号公報
【００２３】
【発明が解決しようとする課題】
ところで、このようなＯＦＤＭ受信装置１００を移動体等で使用すると、電波の伝播路が変動し、マルチパスにより本来受信すべき送信波に対して時間的に前方にゴーストが発生する場合がある。
【００２４】
この場合、ＦＦＴ窓を前ゴースト後に受信される正規の送信波の有効シンボル期間に設定すると、このＦＦＴ窓内に、前ゴーストの隣接シンボル（一つ後ろのシンボル）が入り込むこととなる。その結果、正規の送信波のシンボルが隣接シンボルによる干渉を受け、適正なＦＦＴ処理を実行できなくなる。
【００２５】
これに対し、ＦＦＴ窓を、正規の送信波の有効シンボル期間ではなく、前ゴーストの有効シンボル期間に設定すると、正規の送信波の隣接シンボル（一つ前のシンボル）が重なる期間は、当該前ゴーストのガードインターバル期間であるため、有効シンボル期間に対応して設定されたＦＦＴ窓に隣接シンボルが入り込むことはない。したがって、この場合には、当該前ゴーストのシンボルが隣接シンボルによる干渉を受けず、よって、前ゴーストのシンボルに対するＦＦＴ処理自体は円滑に実行できる。
【００２６】
しかしながら、前ゴーストが発生したときに、正規の送信波を対象とする処理から前ゴーストを対象とする処理に切り替えると、ＦＦＴ処理部１２から出力される複素ＯＦＤＭ信号の位相周波数特性が大きく変化することとなる。その結果、ＦＦＴ後の処理において連続性を確保することが困難となり、最悪の場合、フレーム同期はずれや等化処理の破綻が生じることもあり得る。
【００２７】
なお、上記特許文献１には、上記前ゴーストが発生したときの課題や、前ゴーストにＦＦＴ窓を設定したときの課題は取り上げられておらず、当然、その解決手段に関する示唆も一切記載されていない。
【００２８】
そこで、本発明の主たる目的は、マルチパスによる前ゴーストが発生した場合に、シンボル同期８から出力されるシンボル同期パルスをもとにＦＦＴ処理部１２の窓位置を変えた際に、同期外れを防止し、より安定した処理動作を実行できるＯＦＤＭ受信装置を提供することにある。
【００２９】
【課題を解決する為の手段】
本発明は、前ゴーストの発生の有無を検出し、前ゴーストの発生を検出した場合には、この前ゴーストを処理対象として、当該前ゴーストの有効シンボル期間にＦＦＴ窓を設定するものである。そして、ＦＦＴ処理により得られた複素ＯＦＤＭ信号に対し、窓位置の変更によって生じる特性変化量を逆算補償し、これにより窓位置変化の前後におけるＦＦＴ処理後の信号の連続性を確保するものである。
【００３０】
各請求項に係る発明は、それぞれ以下のとおりである。
【００３１】
請求項１の発明は、ＯＦＤＭ方式による送信波を受信するＯＦＤＭ受信装置に関するものであって、ＦＦＴ処理されたＯＦＤＭ信号に基づいて当該ＯＦＤＭ信号に前ゴーストが含まれているかを判定する前ゴースト判定手段と、前ゴーストが含まれている場合に、ＦＦＴ処理の窓位置が当該前ゴーストに対応した窓位置となるよう、受信ＯＦＤＭ信号に対する窓位置を補正するＦＦＴ窓位置補正手段と、ＦＦＴ処理後のＯＦＤＭ信号の特性が前記ＦＦＴ窓位置補正手段による窓位置補正前後において連続性を維持するように、前記ＦＦＴ処理されたＯＦＤＭ信号を補正するＯＦＤＭ信号補正手段とを備えることを特徴とする。
【００３２】
請求項２の発明は、請求項１に記載のＯＦＤＭ受信装置において、前記前ゴースト判定手段は、主波のレベルに応じたしきい値を設定し、主波に先行する副波のレベルが前記しきい値を超える場合に、当該副波を前ゴーストとして判定することを特徴とする。
【００３３】
請求項３の発明は、請求項１または２に記載のＯＦＤＭ受信装置において、前記ＦＦＴ窓位置補正手段は、ＦＦＴ処理後のサブキャリアの内、所定のサブキャリアに含まれたパイロット信号をＦＦＴ処理して遅延プロファイルを算出するＦＦＴ手段と、算出した遅延プロファイルに基づいて現在の窓位置と前ゴーストに適用されるべき窓位置と間の遅延量に応じた補正値を算出する補正値算出手段と、算出した補正値に応じて受信ＯＦＤＭ信号に対する窓位置を変更する窓位置変更手段とを有することを特徴とする。
【００３４】
請求項４の発明は、請求項１ないし３の何れかに記載のＯＦＤＭ受信装置において、前記ＯＦＤＭ信号補正手段は、前記ＦＦＴ処理されたＯＦＤＭ信号の位相を、前記窓位置の補正量に応じて補正することを特徴とする。
【００３５】
請求項５の発明は、請求項４に記載のＯＦＤＭ受信装置において、前記ＯＦＤＭ信号補正手段は、前記ＦＦＴ処理されたＯＦＤＭ信号に、前記ＦＦＴ窓位置補正手段による窓位置の補正量に相当する位相回転量を乗算することにより、前記ＦＦＴ処理されたＯＦＤＭ信号の位相を補正することを特徴とする。
【００３６】
本発明の特徴は、以下に示す実施の形態の説明により更に明らかとなろう。
【００３７】
但し、以下に示す実施の形態はあくまでも本発明のひとつの実施形態であって、本発明に係る各構成要件の用語の意義は以下の実施の形態に記載されたものに制限されるものではない。
【００３８】
【発明の実施の形態】
図２は、本発明の一実施形態であるＯＦＤＭ受信装置の構成を示す図である。なお、上記図１のＯＦＤＭ受信装置１００と同一ブロックには同一番号を付し、その説明を省略する。
【００３９】
図において、ＦＦＴ窓位置設定部４０は、後述するＦＦＴ窓位置検出＆判定処理部４４から得られる窓位置補正値をもとに、シンボル同期処理部８から出力されるシンボル同期パルスの発生タイミングを変更し、これによりＦＦＴ窓位置を調整する。ＦＦＴ処理部１２は、変更されたシンボル同期パルスに基づいて、複素ＯＦＤＭ信号に対するＦＦＴ処理を実行する。
【００４０】
位相周波数特性逆算部４２は、ＦＦＴ処理された複素ＯＦＤＭ信号の複素データ列に、ＦＦＴ窓位置検出＆判定部４４から得られた窓位置補正値に相当する位相回転量を乗算する。
【００４１】
ＦＦＴ窓位置検出＆判定処理部４４は、等化部１８によって抽出されたパイロット信号ＳＰ、またはこの等化部１８にて推定された伝送路特性を用いて、現状のＦＦＴ窓位置と、正規の送信波およびその他のゴースト波の有効シンボル期間との間のずれを検出する。また、所定のしきい値を越える前ゴースト波が受信波に含まれているか否かを判別し、しきい値を越える前ゴースト波が含まれている場合は、この前ゴースト波の有効シンボル期間とＦＦＴ窓位置のずれ量に基づいて、ＦＦＴ窓位置の補正量を算出する。
【００４２】
等化部１８は、複素データ列からパイロット信号ＳＰを抽出し、この抽出結果から伝送路特性を推定し、上述した等化処理を実行する。また、抽出したパイロット信号ＳＰをＦＦＴ窓位置検出＆判定処理部４４に供給する。
【００４３】
図３に、上記位相周波数特性逆算部４２の具体的構成例示す。同図の如く、位相周波数特性逆算４２は、複素乗算部６０と、窓位置補正量変換部６２から構成されている。
【００４４】
ここで、ＦＦＴ窓位置補正はクロック単位の補正が可能であるが、たとえば、現在よりもＭクロック早くＦＦＴの窓位置を設定した場合、ＮポイントＦＦＴの出力であるｎ番目のキャリアにある複素データ列では、−２πＭｎ／Ｎ（ｒａｄ）の位相回転が発生する。したがって、この逆位相である２πＭｎ／Ｎ（ｒａｄ）分の位相を補正してやることで、窓位置を変更する前後の複素データ列における位相周波数特性の急激な変化を低減できる。
【００４５】
窓位置補正量変換部６２は、ＦＦＴ窓位置検出＆判定４４からの窓位置補正値に対する位相量２πＭｎ／Ｎ（ｒａｄ）を算出し、その位相に相当する正弦波、余弦波を生成する。また、複素乗算６０は、窓位置補正量変換６２で求めた正弦波、余弦波を複素データ列に複素乗算することにより、複素データ列に対して窓位置補正に応じた位相回転を実行する。
【００４６】
図４に、等化部１８とＦＦＴ窓位置検出＆判定部４４の具体的構成例を示す。
【００４７】
同図に示す如く、等化部１８は、ＳＰ抽出部８０と、伝送路特性推定部８２と、等化処理部８４から構成されている。
【００４８】
ＳＰ抽出部８０では、フレームデコードされた複素データ列からパイロット信号ＳＰを抽出する。伝送路特性推定８２では、抽出したパイロット信号ＳＰを用いて、データが配置された各キャリアの伝送路特性を推定する。
【００４９】
ここで、パイロット信号ＳＰは、１２キャリア間隔で、同相信号（Ｉ信号）と直交信号（Ｑ信号）のそれぞれに配置されており、その振幅および同相信号（Ｉ信号）と直交信号（Ｑ信号）間の位相が予め決められている。このため、等化部１８にて抽出した各パイロット信号ＳＰの状態（位相の回転、振幅の状態）に基づいて、各キャリアに対する伝送路特性を推定することができる。
【００５０】
等化処理部８４では、伝送路特性推定部８２にて推定した伝送路特性で各キャリアの複素データ列を除算することにより複素データ列を等化、即ち伝送路において受けた位相の歪み及び振幅のレベルを補正する。
【００５１】
また、図４に示す如く、ＦＦＴ窓位置検出＆判定部４４は、ＦＦＴ処理部８６と、窓位置検出部８８と、しきい値設定部９０と、窓位置補正量判定部９２から構成されている。
【００５２】
ＦＦＴ処理部８６は、ＳＰ抽出部８０にて抽出したパイロット信号ＳＰに対してシンボル毎にＦＦＴ処理を実行する。かかるＦＦＴ処理により、たとえば図５および図６に示すような遅延プロファイルが求められる。
【００５３】
図５は、パイロット信号ＳＰが、主波（最大レベルの送信波）と、主波に対して遅延した副波（後ゴースト波）含んでいる場合の遅延プロファイルを示すものである。この場合、ｔ＝０が現在の窓位置のタイミングに相当するため、窓位置を現在よりも後方にずらし、ＦＦＴ窓位置を主波の有効シンボル期間に一致させる。
【００５４】
図６は、パイロット信号ＳＰが、主波と、主波に対して遅延した副波（後ゴースト波）と、主波に対して先行した副波（前ゴースト波）を含んでいる場合の遅延プロファイルを示すものである。この場合、窓位置を現在よりも前方にずらし、ＦＦＴ窓位置を主波に先行する前ゴースト波の有効シンボル期間に一致させる。
即ち、図４に示す窓位置検出８８は、遅延プロファイルから現在の窓位置と主波およびゴースト波の関係を検出する。しきい値設定部９０は、遅延プロファイルに含まれる主波の大きさに基づいて、ゴースト波のレベル判定を行うためのしきい値を設定する。ここで、しきい値は、後段の再生処理系（図示せず）におけるビットエラーレートが所定の値以下となるような値に設定される。
【００５５】
窓位置補正量判定部９２は、設定したレベルを前ゴースト波のレベルが越えるかどうかを判定し、しきい値を超える場合は、前ゴースト波の遅延時間（図６のΔＴ）をクロック周期単位で求める。一方、前ゴースト波がしきい値を越えない場合または前ゴースト波が存在しない場合は、主波の遅延時間（図５のΔＴ）をクロック周期単位で求める。
【００５６】
窓位置補正量判定部９２は、内蔵メモリを備えており、前回の処理によって求めた遅延時間を、この内蔵メモリに記憶している。そして、内蔵メモリに記憶した遅延時間ΔＴｎ−１と、現処理にて求めた遅延時間ΔＴｎとを比較し、両者の相違に応じた値Ｔ＝ΔＴｎ−１−ΔＴｎを、窓位置補正値として出力する。
【００５７】
尚、上記では、ＦＦＴ処理部８６で遅延プロファイルを求める場合、ＳＰ抽出部８０において抽出したパイロット信号ＳＰを用いるようにしたが、伝送路特性推定部８２の出力である推定された伝送路特性を用いてもよいし、両者を適宜切り換えて遅延プロファイルを求めるようにしてもよい。
【００５８】
以上のように、本実施の形態では、前ゴーストが含まれる場合、前ゴーストに合わせるようにＦＦＴ窓位置を補正するようにしたので、前ゴースト発生時にも適正にＦＦＴ処理を行うことができる。また、前ゴーストに合わせるようにＦＦＴ窓位置を補正したときに、ＦＦＴ処理後の複素ＯＦＤＭ信号に対してその補正量に相当する回転位相を乗ずるようにしたので、ＦＦＴ窓位置の補正前後における複素ＯＦＤＭ信号の急激な位相周波数特性の変化を抑制でき、これにより、ＦＦＴ処理後の処理、すなわち広帯域キャリア同期処理やフレームデコード処理などの処理破綻を解消できる。
【００５９】
このように、本実施の形態によれば、ＦＦＴ処理後の処理を安定に維持しながら、前ゴーストによるＦＦＴ処理破綻の問題を解消できる。よって、例えば携帯型機器にＯＦＤＭ装置を搭載した場合等、伝送路特性が頻繁に変化し得る環境下においても、その時々の伝送路特性に応じた受信処理を、円滑且つ効果的に実行することができる。
【００６０】
なお、本発明は、上記実施の形態に限定されるものではなく、他に種々の変更が可能であることは言うまでもない。
【００６１】
たとえば、上記実施の形態では、図５の遅延プロファイルに示すように、前ゴーストが発生していない場合には、主波に対する窓位置のずれを補正するようにしたが、前ゴーストの発生によるＦＦＴ処理破綻のみを目的とする場合には、主波に対する窓位置補正は行わず、前ゴーストに対する窓位置補正のみを行うようにしても良い。
【００６２】
また、上記実施の形態は、国内の地上波デジタル放送の規格に準じた送信波を受信するものとした、この他のＯＦＤＭ方式による送信波を受信する受信装置にも本発明を適用できる。
【００６３】
この他、本発明に係る実施形態は、本発明の技術的思想の範囲内で適宜変更可能である。
【００６４】
【発明の効果】
本発明によれば、ＦＦＴ処理後の処理を安定に維持しながら、前ゴーストによるＦＦＴ処理破綻の問題を解消できる。よって、前ゴーストが頻繁に変化し得る環境下においても、その時々の伝送路特性に応じた受信処理を、円滑且つ効果的に実行することができる。
【図面の簡単な説明】
【図１】デジタル放送受信機に採用されるＯＦＤＭ受信装置の構成例。
【図２】実施の形態に係るＯＦＤＭ受信装置の構成例。
【図３】位相周波数特性逆算部４２の構成例。
【図４】等化部１８とＦＦＴ窓位置検出＆判定処理部４４の構成例。
【図５】実施の形態に係る遅延プロファイルの一例。
【図６】実施の形態に係る遅延プロファイルの一例。
【符号の説明】
１８  等化部
４０  ＦＦＴ窓位置設定部
４２  位相周波数特性逆算部
４４  ＦＦＴ窓位置検出＆判定部
【図１】
2004304618.tif 000003
【図２】
2004304618.tif 000004
【図３】
2004304618.tif 000005
【図４】
2004304618.tif 000006
【図５】
2004304618.tif 000007
【図６】
2004304618.tif 000008